(57)【要約】【課題】液体又は粉塵が内部に入ったり、外部から受ける圧力及び衝撃により損壊したりすることを防ぎ、良好な防水機能及び防塵機能を有するタッチパネルの防水机上面構造を提供する。【解決手段】タッチパネルの防水机上面構造は、結像部及び非結像部を有する強化ガラス１０１と、結像部に対応するように、強化ガラス１０１の下方に配置され、強化ガラス１０１と密着して投影スクリーンを形成するフィルム１０２と、強化ガラス１０１の下方に配置され、強化ガラス１０１と密着して強化ガラス１０１を支持するブラケット１０３とを備える。【選択図】図１
0003164987.tif 000002
【実用新案登録請求の範囲】
【請求項１】
結像部及び非結像部を有する強化ガラスと、
前記結像部に対応するように、前記強化ガラスの下方に配置され、前記強化ガラスと密着して投影スクリーンを形成するフィルムと、
前記強化ガラスの下方に配置され、前記強化ガラスと密着して前記強化ガラスを支持するブラケットと、を備えることを特徴とするタッチパネルの防水机上面構造。
【請求項２】
前記強化ガラスは、一体成形され、
前記結像部は、中央領域に設けられ、
前記非結像部は、縁辺領域に設けられていることを特徴とする請求項１に記載のタッチパネルの防水机上面構造。
【請求項３】
前記結像部には、防眩機能を有する塗料が塗布されていることを特徴とする請求項２に記載のタッチパネルの防水机上面構造。
【請求項４】
前記防眩機能を有する塗料は、第１の面部及び第２の面部を有するポリエステルフィルム基板と、前記第１の面部及び前記第２の面部のうちの少なくとも１つの上に形成され、ヒドロキシプロピルセルロース、ポリ（２−エチル−２−オキサゾリン）及びその混合物からなる群から選ばれた材料からなる被膜と、を有する複合フィルムを含むことを特徴とする請求項３に記載のタッチパネルの防水机上面構造。
【請求項５】
前記非結像部には、シルク印刷により様々なパターンが印刷されていることを特徴とする請求項２に記載のタッチパネルの防水机上面構造。
【請求項６】
前記フィルムは、前記結像部と形状及びサイズが同じであり、前記結像部に密着される拡散フィルムであることを特徴とする請求項１に記載のタッチパネルの防水机上面構造。
【請求項７】
前記拡散フィルムは、ポリアクリレート樹脂、ポリカーボネート、ポリスチレン、ポリオレフィン、酢酸セルロース、セルロースアセテート樹脂、ポリイミド樹脂、ポリエチレンテレフタレート又はポリエチレンナフタレートを含むことを特徴とする請求項６に記載のタッチパネルの防水机上面構造。
【請求項８】
前記ブラケットは、一体成形され、前記非結像部と形状及びサイズが同じであり、前記非結像部と密着することを特徴とする請求項１に記載のタッチパネルの防水机上面構造。
【請求項９】
前記ブラケットは、複数の構成要素を有し、前記非結像部と形状及びサイズが同じであり、前記非結像部と密着することを特徴とする請求項１に記載のタッチパネルの防水机上面構造。
【請求項１０】
前記複数の構成要素は、上支持プレート、下支持プレート、左支持プレート、右支持プレート及び複数のネジを含み、
前記上支持プレート及び前記下支持プレートの内側には、前記左支持プレート及び前記右支持プレートに対応するように２つの凹部がそれぞれ設けられ、前記左支持プレート及び前記右支持プレートには、前記凹部に対応するように２つのバンプが設けられ、前記バンプ及び前記凹部は、互いに対応させて結合可能なように設けられたネジ孔を有し、前記複数のネジにより固定させることを特徴とする請求項７に記載のタッチパネルの防水机上面構造。
【考案の詳細な説明】
【技術分野】
【０００１】
本考案は、デスクトップ構造に関し、特に、タッチパネルの防水机上面構造（ｓｔｒｕｃｔｕｒｅ  ｏｆ  ｔｈｅ  ｗａｔｅｒｐｒｏｏｆ  ｔａｂｌｅｔｏｐ  ｆｏｒ  ｔｏｕｃｈ  ｐａｎｅｌ）に関する。
【背景技術】
【０００２】
コンピュータは、運算速度が高速であり利便性が高いため、現代社会において他のもので代替することができないくらい非常に重要となっている。現在、市販されているコンピュータの表示装置は、液晶表示装置、プラズマ表示装置又は陰極線管表示装置を含む。コンピュータの入力装置は、キーボード及びポインティングデバイスを含む。上述の表示装置及び入力装置はそれぞれ分離独立しており、ユーザは表示装置を用いて直接に制御したり操作したりすることができないため、入力装置を用いて制御したり操作したりする必要がある。しかし、一般に年長者及び年少者が入力装置を用いることは簡単でない。そのため、この不便性を克服するために、表示装置と入力装置とが一体成形されたタッチパネル式表示装置が開発された。ユーザは、タッチパネル式表示装置に表示された画像を見ながら、画面上のアイコンを直接選択することによりコンピュータを制御し、様々な処理を行う。このタッチパネル式表示装置は、操作方式が容易かつ便利であり、多数のユーザとリアルタイムで通信し、授業などに応用することができる、机上面部に嵌入して使用するタッチパネル式表示装置が開発されている。このタッチパネル式表示装置は、精密機器であるため、液体又は粉塵が内部に入ったり、外部から受ける圧力及び衝撃により損壊したりすることを防ぎ、良好な防水機能及び防塵機能を有するタッチパネルの防水机上面構造が求められていた。
【考案の概要】
【考案が解決しようとする課題】
【０００３】
本考案の目的は、液体又は粉塵が内部に入ったり、外部から受ける圧力及び衝撃により損壊したりすることを防ぎ、良好な防水機能及び防塵機能を有するタッチパネルの防水机上面構造を提供することにある。
【課題を解決するための手段】
【０００４】
上記課題を解決するために、本考案の第１の形態によれば、結像部及び非結像部を有する強化ガラスと、前記結像部に対応するように、前記強化ガラスの下方に配置され、前記強化ガラスと密着して投影スクリーンを形成するフィルムと、前記強化ガラスの下方に配置され、前記強化ガラスと密着して前記強化ガラスを支持するブラケットと、を備えることを特徴とするタッチパネルの防水机上面構造が提供される。
【０００５】
前記強化ガラスは、一体成形され、前記結像部は、中央領域に設けられ、前記非結像部は、縁辺領域に設けられていることが好ましい。
【０００６】
前記結像部には、防眩機能を有する塗料が塗布されていることが好ましい。
【０００７】
前記防眩機能を有する塗料は、第１の面部及び第２の面部を有するポリエステルフィルム基板と、前記第１の面部及び前記第２の面部のうちの少なくとも１つの上に形成され、ヒドロキシプロピルセルロース、ポリ（２−エチル−２−オキサゾリン）及びその混合物からなる群から選ばれた材料からなる被膜と、を有する複合フィルムを含むことが好ましい。
【０００８】
前記非結像部には、シルク印刷により様々なパターンが印刷されていることが好ましい。
【０００９】
前記フィルムは、前記結像部と形状及びサイズが同じであり、前記結像部に密着される拡散フィルムであることが好ましい。
【００１０】
前記拡散フィルムは、ポリアクリレート樹脂、ポリカーボネート、ポリスチレン、ポリオレフィン、酢酸セルロース、セルロースアセテート樹脂、ポリイミド樹脂、ポリエチレンテレフタレート又はポリエチレンナフタレートを含むことが好ましい。
【００１１】
前記ブラケットは、一体成形され、前記非結像部と形状及びサイズが同じであり、前記非結像部と密着することが好ましい。
【００１２】
前記ブラケットは、複数の構成要素を有し、前記非結像部と形状及びサイズが同じであり、前記非結像部と密着することが好ましい。
【００１３】
前記複数の構成要素は、上支持プレート、下支持プレート、左支持プレート、右支持プレート及び複数のネジを含み、前記上支持プレート及び前記下支持プレートの内側には、前記左支持プレート及び前記右支持プレートに対応するように２つの凹部がそれぞれ設けられ、前記左支持プレート及び前記右支持プレートには、前記凹部に対応するように２つのバンプが設けられ、前記バンプ及び前記凹部は、互いに対応させて結合可能なように設けられたネジ孔を有し、前記複数のネジにより固定させることが好ましい。
【考案の効果】
【００１４】
本考案のタッチパネルの防水机上面構造は、以下（１）〜（４）の長所を有する。
（１）強化ガラスを一体成形し、強化ガラスとブラケットとを密着させるため、隙間及び孔が全く無くなり、良好な防水機能及び防塵機能を得ることができる。
（２）防眩機能を有する塗料を強化ガラスに塗布することにより、外部の光線が机上面で反射することを防ぐことができる。
（３）フィルムとして拡散フィルムを用いるため、光を均一化させることができる。
（４）ブラケットを一体成形し、簡単な幾何学的形状の複数の構成要素を組み合わせることにより強化ガラスを一体成形し、加工及び組み立てを簡便に行うことができる。
【図面の簡単な説明】
【００１５】
【図１】本考案の一実施形態によるタッチパネルの防水机上面構造を示す分解斜視図である。
【図２】本考案の一実施形態によるタッチパネルの防水机上面構造を示す斜視図である。
【図３】本考案の一実施形態によるブラケットを示す分解斜視図である。
【図３Ａ】本考案の一実施形態によるブラケットを示す斜視図である。
【図４】本考案の一実施形態によるタッチパネルの防水机上面構造を使用するときの状態を示す斜視図である。
【考案を実施するための形態】
【００１６】
以下、本考案の実施形態について図に基づいて説明する。なお、これによって本考案が限定されるものではない。
【００１７】
図１を参照する。図１に示すように、本考案の一実施形態によるタッチパネルの防水机上面構造は、強化ガラス１０１、フィルム１０２及びブラケット１０３を含む。フィルム１０２及びブラケット１０３は、強化ガラス１０１の下方に配置され、強化ガラス１０１と密着されている。
【００１８】
本実施形態において、フィルム１０２及びブラケット１０３は、接着剤により強化ガラス１０１に密着されている。この接着剤は、天然接着剤（例えば、ブドウ糖及びその誘導体接着剤又は蛋白質接着剤）、エポキシ樹脂及び変性エポキシ樹脂接着剤、フェノール及び変性フェノール樹脂接着剤、ポリウレタン接着剤、ポリイソシアネート接着剤、ブロックイソシアネート接着剤、イソシアネート基プレポリマー接着剤、水系ポリウレタン接着剤、アクリル接着剤、α−シアノアクリレート系接着剤、嫌気性接着剤、速硬化型アクリル接着剤、アクリル系エマルジョン接着剤、アクリル系感圧接着剤（ａｃｒｙｌｉｃ  ｐｒｅｓｓｕｒｅ−ｓｅｎｓｉｔｉｖｅ  ａｄｈｅｓｉｖｅ）、ポリ酢酸ビニルエマルジョン接着剤、ポリ酢酸ビニル溶液接着剤、ポリ酢酸ビニルホットメルト接着剤（ｐｏｌｙｖｉｎｙｌ  ａｃｅｔａｔｅ  ｈｏｔ  ｍｅｌｔ  ａｄｈｅｓｉｖｅ）、変性酢酸ビニル共重合接着剤（ｍｏｄｉｆｉｅｄ  ｐｏｌｙｖｉｎｙｌ  ａｃｅｔａｔｅ  ｃｏｐｏｌｙｍｅｒｉｚａｔｉｏｎ  ａｄｈｅｓｉｖｅ）、エチレン−酢酸ビニル共重合体接着剤（ｅｔｈｙｌｅｎｅ−ｖｉｎｙｌ  ａｃｅｔａｔｅ  ｃｏｐｏｌｙｍｅｒ  ａｄｈｅｓｉｖｅ）、有機シリコーン接着剤（ｏｒｇａｎｉｃ  ｓｉｌｉｃｏｎｅ  ａｄｈｅｓｉｖｅ）、シリコーンゴム接着剤（ｓｉｌｉｃｏｎｅ  ｒｕｂｂｅｒ  ａｄｈｅｓｉｖｅ）、複素環高分子接着剤（ｈｅｔｅｒｏｃｙｃｌｉｃ  ｐｏｌｙｍｅｒ  ａｄｈｅｓｉｖｅ）又はゴム接着剤を含むがこれらだけに限定されるわけではない。接着方式は、突合せ接着（ｏｐｐｏｓｉｔｅ  ｂｏｎｄｉｎｇ）、正面接着（Ｆａｃａｄｅ  ｂｏｎｄｉｎｇ）、斜面接着（ｂｅｖｅｌ  ｂｏｎｄｉｎｇ）、平面接着（ｐｌａｎｅ  ｂｏｎｄｉｎｇ）などの方式を含むがこれらだけに限定されるわけではない。
【００１９】
図２を参照する。図２に示すように、本考案の一実施形態によるタッチパネルの防水机上面構造の強化ガラス１０１は、結像部２０１及び非結像部２０２を含み、フィルム１０２の内部に液体又は粉塵が入ったり、外部から受ける圧力及び衝撃により損壊したりすることを防ぐために、隙間及び孔が全く無いように一体成形されている。結像部２０１は、透明であり、防眩機能を有する塗料が塗布され、強化ガラス１０１の中央領域に配置することにより、フィルム１０２に画像を表示してユーザに見せるとともに、防眩機能を得る。防眩機能を有する塗料は、第１の面部及び第２の面部を有するポリエステルフィルム基板と、第１の面部及び第２の面部のうちの少なくとも１つの上に形成された被膜（ｃｏａｔｉｎｇ  ｆｉｌｍ）とを有する複合フィルムを含むが、これらだけに限定されるわけではない。上述の被膜は、ヒドロキシプロピルセルロース（ｈｙｄｒｏｘｙｐｒｏｐｙｌｃｅｌｌｕｌｏｓｅ）、ポリ（２−エチル−２−オキサゾリン）及びその混合物からなる群から選ばれるポリマーと、界面活性剤と、コロイダルシリカ（ｃｏｌｌｏｉｄａｌ  ｓｉｌｉｃａ）と、水溶性チタン塩（ｔｉｔａｎｉｕｍ  ｓａｌｔ）及び水溶性又は水分散性有機架橋剤からなる群から選ばれる架橋剤（台湾特許出願公開第２００９２８４２２号公報を参照する）と、を含む。非結像部２０２は、透明又は非透明であり、強化ガラス１０１の縁辺領域に位置し、シルク印刷により様々なパターン（例えば、会社の商標名、商品名、パーソナルラベルなど）を印刷してもよい。
【００２０】
本考案の他の実施形態によるフィルム１０２は、光を均一化する機能を有する拡散フィルムでもよく、結像部２０１と形状及びサイズが同じであり、前述の接着方式により結像部２０１に密着され、投影スクリーンを形成することにより、画像及び赤外線を均一化させることができる。この拡散フィルムが使用する基板は、高分子樹脂などからなる。この高分子樹脂は、例えば、ポリアクリレート樹脂、ポリカーボネート、ポリスチレン、ポリオレフィン、酢酸セルロース、セルロースアセテート樹脂又はポリイミド樹脂であり、好ましくはポリイミド樹脂（例えば、ポリエチレンテレフタレート又はポリエチレンナフタレート）である。
【００２１】
図３を参照する。図３に示すように、本考案の一実施形態によるブラケット１０３は、複数の構成要素を含む。この構成要素は、上支持プレート３０１、下支持プレート３０２、左支持プレート３０３及び右支持プレート３０４を含む。上支持プレート３０１及び下支持プレート３０２の内側には、左支持プレート３０３及び右支持プレート３０４に対応するように２つの凹部が設けられている。上支持プレート３０１及び下支持プレート３０２の上面には、凹部に対応するようにネジ孔が設けられ、ネジ孔に対応したネジ山及びピッチを有するネジ３０５をネジ孔に螺入する。左支持プレート３０３及び右支持プレート３０４の両端には、凹部に対応するようにバンプがそれぞれ設けられている。バンプと凹部とは、互いにちょうど結合されているため隙間が生じない。ネジ３０５のピッチ及び直径と同じネジ山が設けられたネジ孔にネジ３０５を螺入すると、ブラケット１０３が固定される。さらに、本実施形態のブラケット１０３は、非結像部２０２と形状及びサイズが同じであり、上述の接着方式により非結像部２０２を密着させると、強化ガラス１０１を支持することができる。
【００２２】
図３Ａを参照する。図３Ａに示すように、本考案の一実施形態による一体成形のブラケット１０３Ａは、一体成形されるようにブロック状材料の中央部分をくりぬいて製作し、非結像部２０２と形状及びサイズを同じにし、上述の接着方式により非結像部２０２に密着させることにより、強化ガラス１０１を支持する。
【００２３】
図４を参照する。図４に示すように、ユーザはタッチパネルの防水机上面構造４０１に触れることにより、様々な操作及び制御を行うことができる。また、タッチパネルの防水机上面構造４０１は、密着されて一体化されているため、好ましい防水機能及び防塵機能を得ることができる上、操作及びメンテナンスを容易に行うことができる。
【００２４】
上述したことから分かるように、本考案のタッチパネルの防水机上面構造は、液体又は粉塵が内部に入ったり、外部から受ける圧力及び衝撃により損壊したりすることを防ぎ、良好な防水機能及び防塵機能を得ることができる。
【００２５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１０１  強化ガラス
１０２  フィルム
１０３  ブラケット
１０３Ａ  一体成形のブラケット
２０１  結像部
２０２  非結像部
３０１  上支持プレート
３０２  下支持プレート
３０３  左支持プレート
３０４  右支持プレート
３０５  ネジ
４０１  タッチパネルの防水机上面構造
【図１】
0003164987.tif 000003
【図２】
0003164987.tif 000004
【図３】
0003164987.tif 000005
【図３Ａ】
0003164987.tif 000006
【図４】
0003164987.tif 000007